(57)【要約】【課題】ナマコやアワビ等の棘皮動物類や軟体動物類を傷つけずに捕獲し又は病気を蔓延させないで養殖する漁具を提供する。【解決手段】軸方向の一方が開口し他方が閉口した筒状の容器から成り、該容器の周面及び前記閉口の面に複数の海水の流出入孔が設けられた捕獲具単体や、該捕獲具単体が軸方向に平行に複数個が連結手段により結合された捕獲具集合体が、海底のアンカーに繋がれた幹ロープに適宜間隔を有して複数個が海底に係留されたことを特徴とする軟体動物捕獲・養殖具とする。【選択図】図３
2015149982.tif 000002
【特許請求の範囲】
【請求項１】
軸方向の一方が開口し他方が閉口した筒状の容器から成り、該容器の周面及び前記閉口の面に複数の海水の流出入孔が設けられた捕獲具単体が、海底のアンカーに繋がれた幹ロープに適宜間隔を有して複数個が海底に係留されたことを特徴とする軟体動物捕獲・養殖具。
【請求項２】
前記捕獲具単体が軸方向に平行に複数個が連結手段により結合されて捕獲具集合体を構成し、該捕獲具集合体が、海底のアンカーに繋がれた幹ロープに適宜間隔を有して１以上の複数個が海底に係留されたことを特徴とする請求項１に記載の軟体動物捕獲・養殖具。
【請求項３】
前記捕獲具単体が、軸方向の長さが前記筒の径の２〜１０倍で成ることを特徴とする請求項１又は請求項２に記載の軟体動物捕獲・養殖具。
【請求項４】
前記連結手段が、前記捕獲具単体の周面に軸方向視で略６０°等間隔に設けられた連結孔を有して成ることを特徴とする請求項２に記載の軟体動物捕獲・養殖具。
【請求項５】
前記連結手段が、前記捕獲具単体同士の前記連結孔を挿通する、頭部から軸端に続く軸方向視で適宜幅の溝を有して２〜４分割された軸部、該軸部の先端側に該軸径より外側に突出した突出部、該突出部から軸中心側に傾斜した円錐面部、その先端の前記軸径より小さな径の先端部から成る連結具と、前記軸部を挿通する穴を有する固定具を備え、前記先端部が中心方向に変形した後に元の形に戻る復元力を有することを特徴とする請求項１〜４の何れかに記載の軟体動物捕獲・養殖具。
【発明の詳細な説明】
【技術分野】
【０００１】本発明は、ナマコやアワビ等の棘皮動物類や軟体動物類を捕獲、または養殖する捕獲・養殖具に関する。
【背景技術】
【０００２】これまで、海域にてナマコやアワビ等の棘皮動物類や軟体動物類の捕獲を目的とした適切な捕獲具は見当たらず、主にダイバーによる潜水やケタ引き漁による漁が行われている。近年、漁師の高齢化、大小様々な海難事故、ケタ引き漁によってできる捕獲対象への傷や病気の増加などがあり、安定した水揚げが無いのが現状で、それらの改善がなされていない。
本発明の課題である棘皮動物類や軟体動物類の捕獲具に関連して、蛸壺や鰻用捕獲具等の例がある（例えば、特許文献１参照）。
【先行技術文献】
【特許文献】
【０００３】
【特許文献１】特開平１１−１６９０２１号公報
【発明の概要】
【発明が解決しようとする課題】
【０００４】特許文献１は筒状の捕獲筒から成る魚介類捕獲具に関するもので、第２の捕獲筒の着脱機能を備え、対象の入出口に絞込みをつけた網を設けているとういう旨が記載されている。しかし、本文献は対象となる魚介類が一度入ったら脱出できないという特徴を利用しているものであって、捕獲と同時に養殖も目的とするような、通年の住処としての環境は考慮さていなく、養殖中の病気の蔓延を防ぐことはできず、夜行性で一定の範囲で生活を行うナマコやアワビ等の捕獲対象への対応ができていない。【０００５】現状では特定の養殖場によって稚ナマコや稚貝等の人口受精が行われ、稚ナマコや稚貝の放流等の資源回復努力は行われているものの、安定した漁獲高が見込めるほどの明確な養殖技術が確立されておらず、漁の安定が保たれていない。【０００６】関東・東北大震災による東北地方の甚大な被害による損失は計り知れないものであり、被災地では実際に放流予定だった稚ナマコが数万単位で流され、現在は震災前に比べて回復がなされていないのが実状である。【０００７】また、捕獲対象の生態として地域ごとによって夏眠・冬眠する事が研究の結果解明され、その間の住処を作るために網で囲う、石を沈めるなどが行われているが、実際に効果があった実績は少なく、捕獲対象への傷や病気の蔓延も問題になっている。
また、海難事故の軽減、各漁で体力への負担を軽減することなども必要である。
本発明は、上記のような従来技術の問題点に鑑みてこれらの課題を解決した棘皮動物類捕獲・養殖具を提供することを目的とするものである。
【課題を解決する為の手段】
【０００８】そこで本発明では、軸方向の一方が開口し他方が閉口した筒状の容器から成り、該容器の周面及び前記閉口の面に複数の海水の流出入孔が設けられた捕獲具単体が、海底のアンカーに繋がれた幹ロープに適宜間隔を有して複数個が海底に係留されたことを特徴とする軟体動物捕獲・養殖具とする。
また、前記捕獲具単体が軸方向に平行に複数個が連結手段により結合されて捕獲具集合体を構成し、該捕獲具集合体が、海底のアンカーに繋がれた幹ロープに適宜間隔を有して１又は複数個が海底に係留されたことを特徴とする軟体動物捕獲・養殖具とするのが好ましい。
また、前記捕獲具単体が、軸方向の長さが前記筒の径の２〜１０倍で成ることを特徴とする軟体動物捕獲・養殖具とするのが好ましい。
また、前記連結手段が、前記捕獲具の周面に軸方向視で略６０°等間隔に設けられた連結孔を有して成ることを特徴とする軟体動物捕獲・養殖具とするのが好ましい。
【０００９】また、前記連結手段が、前記捕獲具単体同士の前記連結孔を挿通する、頭部から軸端に続く軸方向視で適宜幅の溝を有して２〜４分割された軸部、該軸部の先端側に該軸径より外側に突出した突出部、該突出部から軸中心側に傾斜した円錐面部、その先端の前記軸径より小さな径の先端部から成る連結具と、前記軸部を挿通する穴を有する固定具で成り、前記先端部が中心方向に変形した後に元の形に戻る復元力を有することを特徴とする軟体動物捕獲・養殖具とするのが好ましい。
【発明の効果】
【００１０】以上のごとく本発明によれば、捕獲具単体を筒状として、一方の端面を開口部として対象物の入出口とし他方端面の閉口面と周面に流水孔を設けたので、網目などの構造物を使用せずに、捕獲具単体への進入を許容しつつ捕獲具からの退出を最小限に留め、海水の流入によって排泄物や堆積物の排出を容易にし、対象物の適切な居住空間を生み出すことができる。
【００１１】また、従来のケタ引き漁や突き漁によって生ずるような捕獲対象への傷も無く、さらに捕獲具単体の中も日光を遮って暗くなる為、夜行性の習性を利用しつつ日中でも光の届かない沖や深場へ潜らせず、ナマコやアワビ等の棘皮動物類や軟体動物類が入りやすく捕獲量の増大が期待できる。
【００１２】本発明は、ウキ、アンカーを利用してそれぞれ漁場を一定の範囲に定める事ができ、浮力のあるウキによって遠目からでも場所を確認できるので、捕獲場所への船舶の迷走もなく燃料費が抑えられ、また、密漁者の早期発見等にも効果が望める。捕獲作業は、捕獲具からの取り出し作業が行い易く、捕獲対象の取出し後における捕獲具の海底への投入を容易に行う事ができる。
【００１３】また、本発明の捕獲具を金属やプラスチックなどの材質を用いる事で、網縄漁などに多発するフグ等によって噛み切られる事も無い為、ナマコ、アワビ等の棘皮動物類や軟体動物類が逃げる事も無い。
【００１４】さらに本発明の捕獲具単体を複数本束ねて捕獲具集合体とすることで、１か所に複数の住居空間を提供でき、漁場が広域になる事を防ぐ事が可能となり、管理が容易で、ナマコやアワビ等の棘皮動物類や軟体動物類の養殖や捕獲性能が優れた捕獲具とすることができる。
【図面の簡単な説明】
【００１５】
【図１】本発明の棘皮動物類捕獲・養殖具全体の説明図
【図２】捕獲具単体の説明図
【図３】捕獲具集合体の設置状況の説明図
【図４】捕獲具集合体の設置状況の説明図
【図５】捕獲具集合体の設置状況の説明図
【図６】連結具の説明図
【図７】連結具使用状況の説明図
【発明を実施するための最良の形態】
【００１６】以下、本発明の実施形態を各図に基づいて説明する。主としてナマコやアワビ等の棘皮動物類や軟体動物類を捕獲・養殖する場合の例について説明する。
本発明の全体構成を図１に示す。後述する複数の捕獲具単体４は適宜間隔をおいて枝連結ロープ１１を介して又は直接幹ロープ１２に連結されて海底Ｂに係留される。幹ロープ１２の両端は連結環９を介してアンカー２に結合される。幹ロープ端の連結環９はウキロープ３を介して海面Ａに浮かせた海域を特定させる為のウキ１に繋がれる。【００１７】つぎに、図２を用いて捕獲具単体４の詳細を説明する。図２（ａ）は後述する連結孔２０が開口部側のみに設けたられた場合、図２（ｂ）は連結孔が閉口部側にも設けられた場合を示した。
捕獲具単体４は筒状の容器で成り、筒部２５の軸方向の一方を開口して開口部５を設け、海水や捕獲対象の進入を許容する進入口Ｃとする。軸方向の他方は閉口して閉口部６とする。閉口部６に複数個の閉口部流水孔７を設ける。また、筒部２５の周面に複数個の周面部流水孔８を設ける。
開口部５や閉口部流水孔７、周面部流水孔８は、ヘドロや排泄物、海水の流出入口になる。海水の流れを作る事によって捕獲具単体４内部のヘドロや排泄物などの沈殿物の堆積を防ぐ事ができ、住み心地の良い住処としての環境を整えるだけでなく、海流が無い事によって生まれる病気の蔓延を防ぐ事ができる。【００１８】捕獲具単体４の筒部２５の径方向の大きさはおおよそ１０〜１５ｃｍが好ましいが、これは対象以外の侵入を防ぐ為であり、捕獲対象の密集化による病気の蔓延を防ぐ為でもある。捕獲具４の軸方向の長さは１５〜５０ｃｍ程度であっておおよそ３０ｃｍほどが好ましい。これらの大きさは極度の密集を避け、ヘドロや排泄物、有害生物の堆積を防ぎ、病気の蔓延を阻止する役割を担っている。また、各流水孔の大きさはおおよそ３ｃｍほどを目処としているが、これは捕獲対象が退出できない大きさであれば問題は無く、各漁場によって設けられた捕獲対象の規定サイズ以下であれば大きさを変化させる事もできる。
それによって漁期には捕獲、禁漁期には養殖として用途を分ける事が可能で、対象を捕獲した捕獲具単体４は閉口部６がある事によって退出する事を極力防ぎつつ、対象の習性を活かすことによって住処として根付かせ、捕獲や養殖を容易に行う事ができる。【００１９】筒状の捕獲具単体４は、形状は図にある様な円筒のみならず、海底の状況を考慮して、三角形や四角形、六角形、台形等の様々な形で応用する事が可能となる。既存にある筒状の資材を利用して作成してコストを抑える事もできる。
また、筒状捕獲具全体を網目にしないのは、多くなっている捕獲対象への傷による損害を防ぐものであって、ケタ引き漁などで傷付いて廃棄されていた捕獲対象への問題が解決され、且つ夜行性である捕獲対象へ海中まで届く日光を避け、捕獲対象が沖まで移動してしまう問題を同時に解決する為である。【００２０】捕獲具単体４の材料は、耐海水性を考慮してプラスチック素材で形成されるのが好ましいが、海底に沈める事が可能な金属や木材、コンクリート等の材料も可能である。ウキ１やアンカー２は既存の漁で使用していたものでよい。【００２１】以上の事により、本発明は病気の蔓延を防ぐ為に海水の流れを作り、ヘドロや排泄物の流出を促し、且つ捕獲対象に住処としての環境を整え、養殖時期には捕獲対象が広範囲に移動してしまうのを阻止する役割を果たしている。【００２２】つぎに、前記捕獲具単体４が軸方向に平行に複数個が連結手段により結合されて捕獲具集合体１４を構成した例を図３〜図５に示す。図３は、前記捕獲具単体が３個結合されて捕獲具集合体が構成された例である。図４は、前記捕獲具単体が８個結合されて捕獲具集合体が構成された例である。捕獲・養殖対象の軟体動物の住まいとして、捕獲具単体が一戸建て住宅と例えれば、捕獲具集合体は、集合住宅と例えることができる。捕獲具単体に設けられた後述の連結孔２０を利用して束ねられた捕獲具集合体が、海底のアンカー２に繋がれた幹ロープ１２に適宜間隔を有して枝連結ロープ１１を介して１又は複数個が海底に係留される。また、巻き上げ時に捕獲対象が落下しないように捕獲具単体４の開口部５が上に向くように設置する。アンカー２は海底の地形に合わせて寸胴型、フック型等が使われ、ウキ１は、従来定置網等に使用していたものを使用することができる。
また、図の例では、捕獲具単体の軸方向形状を円形とした例であるが、六角形とした場合は、捕獲具集合体の軸方向形状はハニカム構造となる。【００２３】ここで、複数の捕獲単体を連結する連結手段について説明する。連結孔２０は、捕獲具単体４の開口部側及び閉口部側の筒部２５周面に設けた連結用の穴である。開口部側の連結孔２０ａは、開口端から軸方向に適宜の周面の位置に設けられ、図７に示すように、複数の捕獲単体を重ねたときに互いに接する位置であることを考慮して、軸方向に見て６等分した６０°間隔で設けるのが好ましい。閉口部側の連結孔２０ｂは、閉口部６を回避した外部からの操作性を考慮して、閉口部６から外側に突出した筒部２５周面を設け、この周面端部から軸方向の適宜位置に、前記開口部側６０°間隔位置と軸方向に一致して合うように設ける。連結孔は開放部側及び閉口部側の両方に設けるのが好ましいが、どちらか一方とすることもできる。【００２４】  捕獲具単体を複数個連結する方法は前記連結孔を利用するのが好ましいが、ロープ類で束ねる方法であっても構わない。個数は管理しやすい範囲であって５〜２０個が考えられるがこれにこだわるものではない。幹ロープ３への連結は枝連結ロープ１１を介するのが好ましいが、漁獲時捕獲具を巻き上げる際に、獲対象が開口部から逸脱しないように開口部側の連結孔２０ａを利用するなどして開口部が上向きに揚げるように考慮する。【００２５】つぎに、前記捕獲単体の長さを長尺にした例を図５に示す。前記のように多数個の捕獲具集合体を幹ロープに連結する方法のほかに、捕獲具単体の長さを５０〜１００ｃｍの長尺として少数個の捕獲具集合体とすることもできる。【００２６】ここでは、本発明の連結具３０について図６を用いて説明する。図６（ａ）は連結具３０を横から見た断面で示す説明図、（ｂ）は（ａ）の側面図である。連結具３０は、頭部３０ａに続く軸部３１ｂ、軸部の先端側に軸径より外側に突出した突出部３０ｃ、突出部から軸中心側に傾斜した円錐面部３０ｄ、その先端の軸径より小さな径の先端部３０ｅから成る。連結孔２０の穴の大きさは、軸部３１ｂを挿通可能な直径である。軸部３０ｂの適宜位置から先端部にかけて適宜幅の溝３０ｆを有して２〜４分割されている。図６は４分割の例である。連結具３０の材料は、先端部３０ｅが軸中心に向かって溝を狭めるように変形が可能で、負荷を除去した時には復元する復元力のある材料を用いる。プラスチックスなどが好ましい。【００２７】つぎに、連結具３０の使用法について説明する。２個の捕獲具単体の連結孔２０を位置合わせして転結孔に連結具３０を挿通し、先端部３０ｅに軸部を挿通する穴を有する固定具３１を当てて円錐面部を滑らせて突出部を乗り越える。このとき、先端部は軸中心方向に変形した後に元の形に復元する。この位置で固定具３１は突出部により逆止されて抜け防止され、これによって２組の捕獲単体が固定される。図の例では捕獲単体を挟んで座金３２ａ、３２ｂが挿通されているが、座金は必ずしも使用しなくともよい。座金にばね要素を付して捕獲具単体同士を圧着させた場合は捕獲単体同士が遊びのない密着した連結が期待できる。【００２８】連結を解除するときは、連結具３０の先端部３０ｅに固定具３１の内径と同等の内径を持つ工具を当てて円錐面部を滑らせて先端部ｅを軸中心に向けて変形させ固定具３１が突出部３０ｃを端部方向に乗り越えることにより取り外すことができる。【００２９】図７に連結具３０を用いて捕獲具単体を連結して捕獲具集合体１４を構成した例を示す。連結孔２０は軸方向に見て６０°間隔で設けられていることにより捕獲具単体同士が連結具３０によって連結している様子を示している。
【符号の説明】
【００３０】１    ウキ
２    アンカー
３    幹ロープ
４    捕獲具単体
５    開口部
６    閉口部
７    閉口部流水孔
８    周面部流水孔
９    連結環
１１  枝連結ロープ
１２  ウキロープ
１４  捕獲具集合体
２０  （２０ａ、２０ｂ）連結孔
２５  筒部
３０  連結具
３１  固定具
Ａ    海面
Ｂ    海底
Ｃ    海水・捕獲対象進入口
【図１】
2015149982.tif 000003
【図２】
2015149982.tif 000004
【図３】
2015149982.tif 000005
【図４】
2015149982.tif 000006
【図５】
2015149982.tif 000007
【図６】
2015149982.tif 000008
【図７】
2015149982.tif 000009